(57)【特許請求の範囲】
【請求項１】
給紙カセットに備えられたシートを載置するフラッパと、該フラッパに載置されるシートの給送側両隅部を係止する爪部材と、該フラッパにセットされた最上面のシートを該爪部材との協働により１枚ずつ給送するピックアップローラと、を備えた給紙装置において、
前記フラッパに載置されたシートの給送側におけるシート先端側の中央を押さえるブロック状のシート案内部材と、前記ブロック状のシート案内部材の下面に貼設されて、前記フラッパに載置されたシート先端側の中央を弾性的に押さえるフィルム状のシート案内部材と、を備え、
前記フィルム状のシート案内部材の先端は前記ブロック状のシート案内部材よりもピックアップローラ側に延出されたことを特徴とする給紙装置。
【請求項２】
前記シート案内部材は、ピックアップローラ近傍にてシートに当接するよう配置されたことを特徴とする請求項１に記載の給紙装置。
【請求項３】
給紙カセットに備えられたシートを載置するフラッパと、該フラッパに載置されるシートの給送側両隅部を係止する爪部材と、該フラッパにセットされた最上面のシートを該爪部材との協働により１枚ずつ給送するピックアップローラと、を備えた給紙装置において、前記フラッパに載置されたシート先端側の中央を押さえるシート案内部材を備え、該シート案内部材におけるシートとの当接面に、ポリオレフィンテープ、フッ素樹脂製のテープその他の摩擦係数の小さなテープを貼付したことを特徴とする給紙装置。
【請求項４】
前記給紙装置は給紙カセットの装置本体への挿入方向とシートの給送方向とが同一方向に構成され、前記シート案内部材は給紙カセットの挿込方向奥側下方に向けて斜めに設けられたことを特徴とする請求項１から請求項３のうち何れか一項に記載の給紙装置。
【発明の詳細な説明】
【０００１】
【発明の属する技術分野】
本発明はファクシミリ装置や複写機等に設けられる給紙装置に関する。
【０００２】
【従来の技術】
一般的なファクシミリ装置等において、画像形成装置の本体は給紙装置の上に載置固定されており、該本体内に画像読取部と画像記録部とが上下に配置されている。この構成で、給紙装置に収納されている用紙は、ピックアップローラによって繰り込まれ、上方の画像記録部へ給送されて画像が形成される。
【０００３】
以下、その機構を図５乃至図７を参照しながら説明する。
図５に示す給紙装置２は、この給紙装置２は、上面が開放された略直方体箱状の給紙カセット２０と、その中に設けられたフラッパ２１と、該給紙カセット２０に設けられた分離爪２２・２２等から構成されている。
給紙カセット２０は用紙給送方向に沿って摺動自在に構成し、用紙の補給時やメンテナンス時は図５の矢視Ａ方向とは反対方向に引き出して給紙カセット２０内部にアクセスできるようにしている。フラッパ２１は図示せぬスプリングにより、その前方側が押し上げられるように回動付勢されている。分離爪２２は給紙カセット２０の、用紙給送方向の先頭側の端部の両脇の隅位置に設けられている。
【０００４】
図５に示されるのは用紙が全くセットされていない状態であり、この状態から給紙装置２に用紙をセットするときは、給紙カセット２０を給紙方向（矢視Ａ方向）と反対側に引き出して、内部のフラッパ２１を押し下げ、フラッパ２１上の所定の位置に複数枚の用紙を載置し、給紙カセット２０を収納する途中で、ストッパが解除され、前記スプリングがフラッパ２１を押し上げる。すると、フラッパ２１に載置された用紙の（給紙方向）先端側両隅部を分離爪２２・２２が係止する。
このようにフラッパ２１を上方回動状態とし、給紙カセット２０を用紙給送方向と同じ方向へ装置本体内部へ押し込むことで、ピックアップローラ２５・２５の直下方に用紙の端部が位置する状態になる。この状態で用紙のセットが完了する。
【０００５】
分離爪２２・２２の上方の装置本体側にはピックアップローラ２５・２５・・・が設けられ、また、その下流側にはフィードローラ２７・２７・・・とプレスローラ２８・２８・・・とが配置されている。
ピックアップローラ２５・２５は側面視で半月型に近い扇形に形成され、このピックアップローラ２５・２５が図５における時計回り方向に一回転するときに、そのローラ面が、フラッパ２１上にセットされた複数枚の用紙のうち最上層の用紙の上面に接触して、その用紙を繰り込む。該用紙は前記分離爪２２・２２にその先端両隅が係止されて規制されているため、その繰込みに対して一定の抵抗が発生するが、用紙同士の摩擦係数は小さいので、ピックアップローラ２５・２５に接触する最上層の用紙のみがそれ以外の用紙に対して滑りを起こしながら、その先端両隅が撓んで該分離爪２２・２２から外れ、繰り込まれる。
【０００６】
このような機構で、最上層の用紙のみが繰り込まれ、前記フィードローラ２７・２７・・・とプレスローラ２８・２８・・・とによって画像記録部４内へと繰り送られていく。
そして、用紙を給送し終えると、給紙装置２は作動を停止し、ピックアップローラ２５・２５はその大径部２５ａ・２５ａを上方側に向けた位置姿勢で待機する。
【０００７】
【発明が解決しようとする課題】
上述のように、給紙カセット２０に用紙を補給するときには、作業性をよくするため、フラッパ２１を略水平姿勢となる最下位置で固定できるストッパを備えたものが知られている。通常、該ストッパは給紙カセット２０の挿入動作と連動して解除され、フラッパ２１がスプリングの力により持ち上げられる。この場合、用紙には、給紙カセット２０を挿入する際の水平方向の勢いと、スプリングによりフラッパ２１が持ち上げられるときの上下方向の勢いとが作用し、その結果、用紙の給送方向先端側の中央部分が、図７に示す如く、上方に撓んで盛り上がることがあった。
【０００８】
これは、フラッパ２１の可動上限位置が分離爪２２・２２の可動範囲によって規制されるため、フラッパ２１が勢いよく持ち上げられるときに、用紙先端の両隅は分離爪２２・２２によりその動きが突如規制されるが、中央部分はフリー状態であるため慣性により盛り上がってしまう。
この給紙カセット２０を差し込むときは給紙装置２は停止しており、ピックアップローラ２５・２５は図６に示すようにその大径部２５ａ・２５ａを上方に向けた状態で待機するが、用紙先端中央の盛り上がった部分が、図６の２点鎖線に示す如く、ピックアップローラ２５・２５の小径部２５ｂ・２５ｂと干渉して擦れてしまい、用紙の傷付きや破損の原因となっていた。
【０００９】
また、この機械的作用のほかに、装置本体にセットされた給紙カセット２０内で、用紙が湿気等により盛り上がることがある。この状態でピックアップローラ２５・２５を回転させると、回転直後に用紙の盛り上がり部分がピックアップローラ２５・２５に接触してしまう。特に回転開始時、ピックアップローラ２５・２５にはより大きな回転トルクが必要であるが、この用紙の盛り上がり部分との接触が負荷となって、その回転が制せられ、給紙不良の原因となっていた。
【００１０】
そこで本発明では、給紙カセット２０を装置本体内に押し込む際に、フラッパ２１上にセットされた用紙がピックアップローラ２５・２５と干渉することを避け、給紙不良を未然に防ぐことができる、低コストな構成を提供することを課題とする。
【００１１】
【課題を解決するための手段】
本発明は、上記課題のうち少なくとも１つの課題を解決すべく、次のような手段を用いるものである。
まず、請求項１に記載のように、給紙カセットに備えられたシートを載置するフラッパと、該フラッパに載置されるシートの給送側両隅部を係止する爪部材と、該フラッパにセットされた最上面のシートを該爪部材との協働により１枚ずつ給送するピックアップローラと、を備えた給紙装置において、前記フラッパに載置されたシートの給送側におけるシート先端側の中央を押さえるブロック状のシート案内部材と、前記ブロック状のシート案内部材の下面に貼設されて、前記フラッパに載置されたシート先端側の中央を弾性的に押さえるフィルム状のシート案内部材と、を備え、前記フィルム状のシート案内部材の先端は前記ブロック状のシート案内部材よりもピックアップローラ側に延出された構成とする。
【００１２】
また、請求項２に記載のように、前記シート案内部材は、ピックアップローラ近傍にてシートに当接するよう配置する。
【００１４】
また、請求項３に記載のように、給紙カセットに備えられたシートを載置するフラッパと、該フラッパに載置されるシートの給送側両隅部を係止する爪部材と、該フラッパにセットされた最上面のシートを該爪部材との協働により１枚ずつ給送するピックアップローラと、を備えた給紙装置において、前記フラッパに載置されたシート先端側の中央を押さえるシート案内部材を備え、該シート案内部材におけるシートとの当接面に、ポリオレフィンテープ、フッ素樹脂製のテープその他の摩擦係数の小さなテープを貼付する。
【００１５】
そうして、請求項４に記載のように、前記給紙装置は給紙カセットの装置本体への挿入方向とシートの給送方向とが同一方向に構成され、前記シート案内部材は給紙カセットの挿込方向奥側下方に向けて斜めに設けられた構成とする。
【００１６】
【発明の実施の形態】
これより、本発明の一実施例について、ファクシミリ装置１を参照しながら説明する。
図１はファクシミリ装置１の斜視図、図２は本発明に係る給紙装置２の側面断面図、図３は本発明に係るシート案内部材３０の側面図、図４は同じく平面図である。
以下の説明では便宜上、図１及び図２に示す矢印Ａの方向をファクシミリ装置１の前方（後面側）として、各構造体の前後・左右位置を説明するものとする。他の図面におけるその各構造体の前後・左右位置についても、同様である。
【００１７】
まず、ファクシミリ装置１の概略構成について、図１を参照しながら説明する。
ファクシミリ装置１の本体は給紙装置２上に載置固定されており、該本体内には画像読取部３と画像記録部４が上下に配置されている。
画像読取部３は、読取載置台５内に設けられた読取装置を走査させて静止原稿等を読み取るフラットベッドタイプのスキャナとして用いられるとともに、該読取装置を位置固定して、原稿を原稿押さえカバー７の一端に付設した自動原稿搬送装置（ＡＤＦ）６に給送しながら読み取りを行うシートフィードタイプのスキャナとして用いることができるように構成されている。
【００１８】
この原稿押さえカバー７の上面は原稿の排出トレイ１０に用いられ、該排出トレイ１０の上方に給紙トレイ９が設けられている。この給紙トレイ９にセットされた原稿は、一枚ずつ分離されてＡＤＦ６内部へ取り込まれ、その画像が画像読取部３の読取装置により読み取られた後、排出トレイ１０へ排出される。
【００１９】
この読み取られた画像はデジタル信号（画情報）に変換され、電話回線を介して先方へ送信される。また、先方から受信した画情報は、画像記録部４で処理され、給紙装置２から取り込んだ用紙に転写される。
あるいは、画像読取部３で読み取った画像を、送信することなくそのまま画像記録部４で用紙に転写することもできる（所謂、コピー機能）。
そして、該用紙は画像記録部４から繰り出され、画像読取部３の下方スペースに設けられた排出トレイ１１へ排出される。
【００２０】
次に、前記給紙装置２について説明する。
図２に示すように、給紙装置２は、上面が開放された箱状の給紙カセット２０と、その底面に設けられたフラッパ２１と、該給紙カセット２０の前端部左右両側に設けられた分離爪２２・２２等から構成されている。フラッパ２１は後端側の支点軸まわりに回動自在とされており、図示せぬスプリングにより、その前方側が押し上げられるように回動付勢されている。
給紙装置２に用紙(シート)をセットするときは、給紙カセット２０を給紙方向（矢視Ａ方向）と反対側に引き出して、内部のフラッパ２１を押し下げ、フラッパ２１上の所定の位置に複数枚の用紙を載置し、給紙カセット２０を収納する途中で、ストッパが解除され、前記スプリングがフラッパ２１を押し上げる。すると、フラッパ２１に載置された用紙の（給紙方向）先端側両隅部が分離爪２２・２２で係止される。
【００２１】
この分離爪２２・２２の上方における、装置本体側にはピックアップローラ２５・２５が設けられ、その前方にはフィードローラ２７・２７・・・とプレスローラ２８・２８・・・とが配設されている。
このピックアップローラ２５・２５は、側面視で半月型に近い扇形に形成され、図２の時計回り方向に一回転するときに、そのローラ面が、フラッパ２１上にセットされた複数枚の用紙のうち最上層の用紙の上面に接触して、該用紙を図２に示す用紙給送方向へ繰り込む。該用紙は前記分離爪２２・２２にその先端両隅が規制されているためにその繰込みに対しては一定の抵抗が発生するが、用紙同士の摩擦係数は小さいので、ピックアップローラ２５・２５に接触する最上層の用紙のみがそれ以外の用紙に対して滑りを起こしながら、その先端両隅が撓んで該分離爪２２・２２から外れ、繰り込まれる。
【００２２】
このような構成で、最上層の用紙のみが繰り込まれ、前記フィードローラ２７・２７・・・とプレスローラ２８・２８・・・とによって画像記録部４内へと繰り送られていく。
用紙を給送し終えると、給紙装置２は作動を停止し、図２や図３に示すように、ピックアップローラ２５・２５はその大径部２５ａ・２５ａを上方側に向けた位置姿勢で待機する。
【００２３】
次に、本発明に係るシート案内部材３０について説明する。
図３及び図４に示すように、シート案内部材３０は、合成樹脂等で形成された硬性のブロック状のシートガイドバー３１・３１と、弾性変形可能なシート状のシートガイドフィルム３２・３２とから成る。
一対のシートガイドバー３１・３１は図４に示すように、中央の２つのピックアップローラ２５・２５の間の位置で、給紙カセット２０上方の装置本体側のフレームに設けられる。そして図３に示すように、シートガイドバー３１・３１の先端は、用紙給送側下方に斜めに向けられている。
【００２４】
前記シートガイドバー３１・３１の下面には、シート状の前記シートガイドフィルム３２・３２が貼設されている。このシートガイドフィルム３２・３２は、上側の一部が前記シートガイドバー３１・３１の下面に貼設される一方、下側（先端部３２ａ・３２ａ）は、ピックアップローラ２５・２５の間の位置に差し込まれ、回転軸２４の下方まで延出されている。以上のようにしてシート案内部材３０が構成される。
【００２５】
この構成において、引き出した給紙カセット２０に用紙をセットしたときにその先端中央側が（図６において２点鎖線で示した場合と同様に）盛り上がっていたとしても、給紙カセット２０を装置本体内部へ押し込むときは、その盛り上がっている用紙の先端中央が、シートガイドフィルム３２・３２（正確には、シートガイドフィルム３２・３２の、シートガイドバー３１・３１に貼設されている部分）に接触し、シートガイドバー３１・３１によって強く押さえ込まれる。
【００２６】
給紙カセット２０を押し込んで行って、用紙先端中央がシートガイドバー３１・３１の先端を越えると、用紙先端中央はシートガイドフィルム３２・３２の先端部３２ａ・３２ａに接触し、該先端部３２ａ・３２ａのみによって押さえ込まれる。シートガイドフィルム３２・３２の先端部３２ａ・３２ａは弾性を有しているので、給紙カセット２０が完全に装置本体に押し込まれる直前の段階においては、該用紙先端中央は適度な力で弾力的に弱く押さえ込まれることになる。
【００２７】
なお、用紙先端中央側の盛り上がりの度合いが小さいときは、シートガイドバー３１・３１による押さえ込みは行われない。即ち、用紙先端中央側の盛り上がりの度合いが小さく、シートガイドバー３１・３１下端部の高さまで至らないときは、その用紙先端中央側はシートガイドフィルム３２・３２の先端部３２ａ・３２ａにのみ当接して、その先端部３２ａ・３２ａによって押さえ込まれる。
【００２８】
この結果、給紙カセット２０を装置本体側にセットする際に、用紙先端中央は（たとえ盛り上がっていても）、ピックアップローラ２５・２５の小径部２５ｂ・２５ｂに接触せず、その下方を通過する。こうして用紙先端中央と前記小径部２５ｂとの干渉が回避され、正常に給紙装置２に対しセットされた用紙は、給紙装置２の作動によってピックアップローラ２５・２５により円滑に繰り出される。
【００２９】
なお、給紙カセット２０の装置本体への押し込みが完全に行われ、給紙装置２が作動する状態においても、シートガイドフィルム３２・３２は用紙先端中央に接触して、用紙を上から押さえる状態を保持している。
そして、この用紙の繰出しのとき、図示せぬスプリングによるフラッパ２１の上方付勢力は、用紙をピックアップローラ２５・２５に圧接させて繰り出させるための摩擦を生じさせる、圧接力として作用することになる。従って、用紙の繰出しのとき用紙を上から強く押さえたのでは、その圧接力を減殺してしまい、ピックアップローラ２５と用紙の間の摩擦力を良好に生じさせることができない。
また、用紙とシートガイドフィルム３２・３２との間に大きな摩擦が発生してしまうと、ピックアップローラ２５・２５の繰込みに対する抵抗になってしまうので、できるだけ低減させる必要がある。
【００３０】
以上のような事情から、シート案内部材３０の最下端を、（シートガイドバー３１・３１ではなく）弾性を有し、且つ摩擦係数の小さなシートガイドフィルム３２・３２により構成しているのである。
即ち、給紙カセット２０の装置本体への押し込みが完全に行われたときに用紙の上面を押さえるのは、シート案内部材３０の最下端に位置するシートガイドフィルム先端部３２ａ・３２ａのみとして、その押さえる力を小さくしている。これにより、（１）フラッパ２１の上方付勢力が弱められることを回避してピックアップローラ２５・２５と用紙との間の摩擦が十分に確保され、且つ、（２）シートガイドフィルム３２・３２と用紙との不必要な摩擦が抑制される。この結果、分離不良のないスムーズな繰出しを可能としているのである。
【００３１】
以上の説明では、給紙カセット２０の装置本体への挿入方向と、用紙の給紙方向とが同方向の給紙装置２を例に取り上げたが、本発明はこのような給紙装置２に限定することなく、給紙カセット２０の挿入方向と、用紙の給紙方向とが直交する配置構成の給紙装置２においても適用可能である。
【００３２】
この場合、中央の２つのピックアップローラ２５・２５の間に設けられるシート案内部材３０・３０に加えて、最も外側（引出側）に配置されるピックアップローラ２５の外側方（引出方向側）にも新たなシート案内部材３０を設け、さらに、これらのシート案内部材３０・３０・・・のシートガイドバー３１・３１・・・及びシートガイドフィルム３２・３２・・・の先端は、給紙カセット２０の挿込方向奥側下方に斜めに向けられる。
【００３３】
給紙カセット２０を挿し込んで行くと、盛り上がった用紙先端中央部分は、まず、最外のシート案内部材３０のシートガイドフィルム３２に案内されつつ適度な弾力で弱く押さえ込まれ、中央よりも引出側に配置されるピックアップローラ２５・２５の小径部２５ｂ・２５ｂとの接触が回避される。
さらに差し込まれると、幾分盛り上がった用紙先端中央部分は、今度は中央のシート案内部材３０・３０のシートガイドフィルム３２・３２に案内されながら同様に適度な弾力で弱く押さえ込まれ、中央よりも奥側のピックアップローラ２５・２５の小径部２５ｂ・２５ｂとの接触が回避されつつ装置本体に給紙カセット２０がセットされる。
【００３４】
なお、これらシートガイドフィルム３２・３２・・・による押さえ込み力は、その先端部３２ａで用紙が引き摺られて分離爪２２・２２から外れることがないように極力小さくしてある。
このように給紙カセット２０を装置本体側にセットする際に、用紙先端中央は（たとえ盛り上がっていても）、ピックアップローラ２５・２５の小径部２５ｂ・２５ｂに接触せず、その下方を通過する。こうして用紙先端中央と前記小径部２５ｂとの干渉が回避され、正常に給紙装置２に対しセットされた用紙は、給紙装置２の作動によってピックアップローラ２５・２５により円滑に繰り出される。
【００３５】
以上の実施例では、シート案内部材３０を、ブロック状のシートガイドバー３１の下面に、シート状のシートガイドフィルム３２を貼設し、ピックアップローラ２５の回転軸２４の下方へ延出して構成しているが、この構成に限定するものではない。例えば、用紙と当接する先端も含めてシート案内部材の本体を樹脂製の一体物で形成し、該本体の用紙当接面には、ポリオレフィンテープ、フッ素樹脂製のテープ、フッ素樹脂とガラス繊維で構成されるテープ等の摩擦係数の小さなテープを貼付した構成でもよい。
【００３６】
【発明の効果】
まず、請求項１に記載の発明では、給紙カセットを引き出してシートをセットしたときにその先端中央側が盛り上がっていたとしても、給紙カセットを装置本体内部へ押し込むときは、その盛り上がっているシートの先端中央が、フィルム状のシート案内部材に接触しつつ、ブロック状のシート案内部材によって強く押さえ込まれる。そして、給紙カセットを押し込んで行って、シート先端中央がブロック状のシート案内部材の先端を越えると、シート先端中央はフィルム状のシート案内部材の先端部に接触し、該先端部のみによって押さえ込まれる。フィルム状のシート案内部材の先端部は弾性を有しているので、給紙カセットが完全に装置本体に押し込まれる直前の段階においては、該シート先端中央は適度な力で弾力的に弱く押さえ込まれることになる。なお、シート先端中央側の盛り上がりの度合いが小さいときは、ブロック状のシート案内部材による押さえ込みは行われない。即ち、シート先端中央側の盛り上がりの度合いが小さく、ブロック状のシート案内部材下端部の高さまで至らないときは、そのシート先端中央側はフィルム状のシート案内部材の先端部にのみ当接して、その先端部によって押さえ込まれる。この結果、給紙カセットを装置本体側にセットする際に、シート先端中央は（たとえ盛り上がっていても）、ピックアップローラの小径部に接触せず、その下方を通過する。こうしてシート先端中央とピックアップローラの小径部との干渉が回避され、正常に給紙装置に対しセットされたシートは、給紙装置の作動によってピックアップローラにより円滑に繰り出される。
また、装置本体に給紙カセットを完全に押し込んだときにも、フィルム状のシート案内部材によってシートを押さえ付ける力がそれほど大きくならない。従って、その状態でシートをピックアップローラによって繰り出す場合にも、ピックアップローラに対する圧接力がフィルム状のシート案内部材の押さえ付けによっても殆ど減殺されず、ピックアップローラとシートとの間の摩擦力が確保され、また、フィルム状のシート案内部材の最下端部とシートとの間の摩擦が抑制される。
この結果、給紙装置によるスムーズなシートの繰り出しが可能になり、シートが傷付いたり分離爪から外されるという問題が解消されて、ペーパージャムを未然に防ぐことができ、給紙装置による給紙の信頼性が向上する。
【００３７】
また、請求項２に記載の発明では、シートの先端中央の盛り上がり部分がシート案内部材に押さえられ、カセットを収納する際にもピックアップローラに擦れたり、引っ掛かったりはせず、シートの傷付きや破損が防止される。また、装置本体に給紙カセットがセットされている状態でも、湿気等によるシートの盛り上がりが防がれ、ピックアップローラの回転時にシートが負荷となることもない。
【００３９】
また、請求項３に記載の発明では、シートとシート案内部材との間に大きな摩擦が発生してしまうと、ピックアップローラの繰り込みに対する抵抗になってしまうので、できるだけ低減させる必要があることから、シート案内部材におけるシートとの当接面に、ポリオレフィンテープ、フッ素樹脂製のテープその他の摩擦係数の小さなテープを貼付したことで、シート案内部材とシートとの不必要な摩擦が抑制され、ピックアップローラとシートとの間の摩擦が十分に確保される。この結果、分離不良のないスムーズな繰り出しを可能とし、シートが傷付いたり分離爪から外されるという問題が解消されて、ペーパージャムを未然に防ぐことができ、給紙装置による給紙の信頼性が向上する。
さらに、請求項３に記載の発明では、引き出した給紙カセットを装置本体側へ押し込む際に、フラッパ上にセットされたシートと、ピックアップローラとの干渉が回避される。
【００４０】
そうして、請求項４に記載の発明では、給紙カセットを押し込んで行って、シート先端中央がシート案内部材の先端を越えると、シート先端中央はシート案内部材の先端部に接触して、給紙カセットが完全に装置本体に押し込まれる直前の段階においては、該シート先端中央は適度な力で押さえ込まれることになる。
以上のような構成とすることで、引き出した給紙カセットを装置本体側へ押し込む際に、フラッパ上にセットされたシートと、ピックアップローラとの干渉が回避される。従って、シートが傷付いたり分離爪から外されるという問題が解消されて、ペーパージャムを未然に防ぐことができ、給紙装置による給紙の信頼性が向上する。
【図面の簡単な説明】
【図１】ファクシミリ装置１の斜視図。
【図２】本発明に係る給紙装置２の側面断面図。
【図３】本発明に係るシート案内部材３０の側面図。
【図４】同じく平面図。
【図５】従来における給紙装置２の側面断面図。
【図６】従来の構成において、用紙とピックアップローラが干渉する様子を示した図。
【図７】従来の構成において、分離爪２２・２２の間の用紙先端中央の盛り上がりの様子を説明する図。
【符号の説明】
１    ファクシミリ装置
２    給紙装置
２０    給紙カセット
２１    フラッパ
２２    分離爪
２４    回転軸
２５    ピックアップローラ
２５ａ  大径部
２５ｂ  小径部
３０    シート案内部材
３１    シートガイドバー
３２    シートガイドフィルム
３２ａ  先端部
【図１】
0003622006.tif 000002
【図２】
0003622006.tif 000003
【図３】
0003622006.tif 000004
【図４】
0003622006.tif 000005
【図５】
0003622006.tif 000006
【図６】
0003622006.tif 000007
【図７】
0003622006.tif 000008